(57)【要約】【課題】  近接型非接触ＩＣカードリーダ／ライタ装置とホストコンピュータを無線で接続する安価な非接触ＩＣカードの無線リーダ／ライタ装置を提供する。【解決手段】  第１発明は、ホストコンピュータとの通信手段、第１の搬送周波数を使ったＩＣカード用セキュリティー通信モジュール、マイクロコンピュータ、メモリ手段、クロック回路を持つ非接触ＩＣカードの無線リーダ／ライタ装置において、前記ホストコンピュータとの通信手段による通信が第２の搬送周波数を使った無線通信とし、第２発明と第３発明では、ホストコンピュータとの通信手段、第１の搬送周波数を使ったＩＣカードとの通信手段、ＩＣカード用セキュリティー通信モジュールを持つ非接触ＩＣカードの無線リーダ／ライタ装置において、前記ＩＣカードとの通信手段とＩＣカード用セキュリティー通信モジュールとの間の通信が第２の搬送周波数を使った無線通信とした。【選択図】  図３
2007241488.tif 000002
【特許請求の範囲】
【請求項１】
ホストコンピュータとの通信手段、第１の搬送周波数を使ったＩＣカード用セキュリティー通信モジュール、マイクロコンピュータ、メモリ手段、クロック回路を持つ非接触ＩＣカードの無線リーダ／ライタ装置において、前記ホストコンピュータとの通信手段による通信が第２の搬送周波数を使った無線通信であることを特徴とする非接触ＩＣカードの無線リーダ／ライタ装置。
【請求項２】
ホストコンピュータとの通信手段、第１の搬送周波数を使ったＩＣカードとの通信手段、ＩＣカード用セキュリティー通信モジュールを持つ非接触ＩＣカードの無線リーダ／ライタ装置において、前記ＩＣカードとの通信手段とＩＣカード用セキュリティー通信モジュールとの間の通信が第２の搬送周波数を使った無線通信であることを特徴とする非接触ＩＣカードの無線リーダ／ライタ装置。
【請求項３】
請求項２に記載の非接触ＩＣカードの無線リーダ／ライタ装置において、前記第２の搬送周波数を使った無線通信においては前記第１の搬送周波数に重畳された搬送波包絡線のみを送受信することを特徴とする非接触ＩＣカードの無線リーダ／ライタ装置。
【発明の詳細な説明】
【技術分野】
【０００１】
本発明は、近接型ＩＣカードのアンテナ受信部と、このアンテナ受信部を除くリーダ／ライタ装置とを無線で接続する安価な非接触ＩＣカードの無線リーダ／ライタ装置に関する。
【背景技術】
【０００２】
近年、非接触型ＩＣカードは、鉄道の駅改札における乗降時に使用される定期券や切符も買える電子マネーとして、多くの駅で利用されている。また、非接触ＩＣカードは電波で通信するため、利用者が改札口を通過する際に、定期券入れをリーダライタにかざすだけで利用手続きが完了するため、利便性で高い評価を受けている。また、ユビキタスＩＤセンターやオートＩＤセンターといった団体が中心になってＲＦＩＤタグの標準化も推進され、無線タグの物流や交通システムへの応用も期待されている。
【０００３】
しかし、市場に流通している非接触ＩＣカードの大半は１３．５６ＭＨｚを使った近接型のＩＣカードであり、通信距離は数ｃｍに限定されているのが現状である。１２５ｋＨｚなどの周波数を使ったＩＣカードも存在するが、通信スピードやセキュリティーなどの面で１３.５６ＭＨｚカードと比較すると性能面で見劣りがして市場ではあまり受け入れられていないのが現状である。
【０００４】
上記の問題を解決すべく、特許文献１においては、リーダライタとの間における無線信号の送受信を司るリーダライタ用アンテナと、該リーダライタ用アンテナから入力される入力信号を復調するリーダライタ用受信手段と、前記リーダライタ用アンテナから出力される送信信号を変調及び電力増幅するリーダライタ用送信手段と、前記非接触ＩＣカードとの間での無線信号の送受信を司るループアンテナと、該ループアンテナからの受信信号を復調するカード受信手段と、前記ループアンテナから出力される送信信号を変調及び電力増幅するカード送信手段と、前記各手段を制御する制御手段と、前記全ての手段に電力を供給する電源手段と、を備えたリピータにおいて、前記リピータと前記非接触ＩＣカードは相互に通信可能距離に配置され、前記リピータが前記リーダライタとの無線通信を行う場合は、前記リピータからの送信電力を増幅することにより、前記リーダライタと非接触ＩＣカードとの通信可能距離を延長する技術が開示されている。
【特許文献１】特開２００４−９４７５
【発明の開示】
【発明が解決しようとする課題】
【０００５】
解決しようとする問題点は、安価に非接触ＩＣカードのリピータ機能を持つ無線リーダ／ライタ装置を提供することであり、特許文献１の構成ではリピータ部分において、アンテナを除いても１０個の回路が必要となり、安価に提供することは難しい構成となっている。
【課題を解決するための手段】
【０００６】
本発明は、安価に非接触ＩＣカードのリピータ機能を持つ無線リーダ／ライタ装置（以下ＲＷ装置と記載）を提供するために、第１の発明では、ホストコンピュータとの通信手段、第１の搬送周波数を使ったＩＣカード用セキュリティー通信モジュール、マイクロコンピュータ、メモリ手段、クロック回路を持つ非接触ＩＣカードの無線リーダ／ライタ装置において、前記ホストコンピュータとの通信手段による通信が第２の搬送周波数を使った無線通信とした。
【０００７】
また、本発明における第２発明では、ホストコンピュータとの通信手段、第１の搬送周波数を使ったＩＣカードとの通信手段、ＩＣカード用セキュリティー通信モジュールを持つ非接触ＩＣカードの無線リーダ／ライタ装置において、前記ＩＣカードとの通信手段とＩＣカード用セキュリティー通信モジュールとの間の通信が第２の搬送周波数を使った無線通信とした。
【０００８】
更に、第３発明では、前記第２の搬送周波数を使った無線通信において、前記第１の搬送周波数に重畳された搬送波包絡線のみを送受信するようにした。
【発明の効果】
【０００９】
第１の発明においては、簡単にＩＣカードのリーダ／ライタ装置が無線化できるので近接型非接触ＩＣカードリーダ／ライタ装置が設置できなかった場所への設置が可能になる。
【００１０】
第２の発明においては、比較的簡単な回路構成において、第１搬送周波数の搬送波を使った重畳信号を第２搬送周波数に重畳することにより数ｍ程度の距離で通信することが可能となる。
【００１１】
第３の発明においては、ＩＣカードからの応答データのみを第２搬送周波数の搬送波を使った搬送波に重畳できるので、送信データのダイナミックレンジを大きくとることが出来るので電波法で規定する微弱電波でも２０〜３０ｍの距離で通信することができるようになる。また、ひとつのホストコンピュータに対して複数のリーダ／ライタ装置を設置する場合において、高価なＩＣカード用セキュリティー通信モジュールはホストコンピュータにひとつだけ接続すれば良いのでシステム全体のコストを安価に設定することができるようになる。
【発明を実施するための最良の形態】
【００１２】
以下、本発明を実施するための最良の形態を図面に基づいて詳細に説明する。なお、以下の説明において、同一機能を有するものは同一の符号とし、その繰り返しの説明は省略する。また、以下の実施例では第１搬送波の周波数を１３.５６ＭＨｚに、第２搬送波の周波数を３１０ＭＨｚと記載したが、本発明はこれらの周波数に限定されるものでははく、実施する国の電波法が遵守できる周波数及び出力レベルであればこれら以外でも適宜の周波数を使うことは十分に考えられることである。
【実施例１】
【００１３】
本発明における実施例１は、（イ）ＩＣカード←→（ロ）ＲＷアンテナ←→（ハ）ＩＣカード用通信セキュリティーモジュール←→（ニ）ＲＷ制御用ＣＰＵ←→（ホ）ホストコンピュータというＩＣカードＲＷ装置の基本接続構成（Ａ）において、（ニ）ＲＷ制御用ＣＰＵと（ホ）ホストコンピュータの間を無線で通信する例である。
【００１４】
図１（ａ）には、前記の基本接続構成における、（イ）ＩＣカード←→（ロ）ＲＷアンテナ←→（ハ）ＩＣカード用通信モジュール←→（ニ）ＩＣカード用セキュリティーモジュール←→（ホ）ＲＷ制御用ＣＰＵまでの接続グループが図示され、図１（ｂ）には、（ホ）ＲＷ制御用ＣＰＵ←→（ヘ）ホストコンピュータの接続グループが図示され、これら２つの接続グループの間は無線接続されている。前記ＩＣカードとＲＷ装置とは第１の搬送周波数、例えば１３．５６ＭＨｚを使い、２つの接続グループ間通信には第２の搬送周波数、例えば３１０ＭＨｚなどを使うものとする。
【００１５】
図１（ａ）において、ホストコンピュータ１１のアプリケーションプログラムから通信回線１０を介して基地局ＲＦ回路９に通信コマンドが送られると、基地局アンテナ８から前記第２の搬送周波数で電波が発射される。
【００１６】
通信回線１０は有線の接続手段であり、ＲＳ−２３２Ｃ、ＲＳ−４２２，ＲＳ−４８５あるいはＵＳＢが使える。
【００１７】
基地局アンテナ８から発射された電波は、図１（ｂ）の中継局アンテナ７によって受信され、中継局ＲＦ回路６によって重畳搬送波からコマンドデータのみが抽出され、該コマンドデータはＲＷ制御用マイクロコンピュータ５を介してＩＣカード用セキュリティー通信モジュール４に入力される。
【００１８】
前記コマンドデータはＩＣカード用セキュリティー通信モジュール４で暗号化など所定のアルゴリズムで処理されて、カード通信用ＲＦ回路３に入力されてＩＣカード１と通信するために第１の搬送周波数（１３．５６ＭＨｚ）で変調を受け、カード通信アンテナ２から電波として発信される。
【００１９】
カード通信用アンテナ２から発信された信号を重畳した搬送波がＩＣカードに送られると、前記搬送波を受信したＩＣカードでは前記搬送波を整流した電源で回路をリセットし、例えばＩＳＯ１４４４３Ｔｙｐｅ−Ａであれば、ＩＣカードに電源供給された時にＩＣカードから転送プロトコルを定義するＡＴＲがＩＣカード１からカード通信用アンテナ２に送られ、カード通信用ＲＦ回路３を介してＩＣカード用セキュリティー通信モジュール４にて認証を受ける。
【００２０】
ＩＣカード用セキュリティー通信モジュール４は、ＩＣカード１との相互認証の後に、ホストコンピュータ１１から読み書きなどのコマンドを受信して、ＩＣカード１に対して読み書き処理を行う。これらのコマンドは、ホストコンピュータ１１から通信回線１０を介して基地局ＲＦ回路９から基地局アンテナ８で電波として飛ばされ、中継局アンテナ７で受信し、中継局アンテナ７で受信した電波は中継局ＲＦ回路６で搬送波が除去され、通信回路１０で送られたデータに戻されてからＲＷ制御用マイクロコンピュータ５に送られる。ＲＷ制御用マイクロコンピュータ５がＩＣカード１から受信したデータは、逆の順路でホストコンピュータ１１に送信される。
【００２１】
なお、実施例１では、（ハ）ＩＣカード用通信モジュールと（ニ）ＩＣカード用セキュリティーモジュールは別のユニットとしたが、この例としてはＬＥＩＣ（登録商標）社のＳＣ−２１４０／Ｃ、ＳＣ−２２４０／Ｃ、ＳＣ−２５６０／Ｃ、ＳＣ−２５７０／Ｃなどのチップセットが該当する。これとは別に、同社のセキュリティーモジュールＳＭ０５、ＳＭ１００、ＳＭ３００は（ハ）ＩＣカード用通信モジュールと（ニ）ＩＣカード用セキュリティーモジュールが一体化したモジュールもあるが、このような一体型であっても機能的には同等であるので、（ハ）ＩＣカード用通信モジュールと（ニ）ＩＣカード用セキュリティーモジュールを合わせた機能のモジュールとして使える。
【実施例２】
【００２２】
本発明における実施例２は、（イ）ＩＣカード←→（ロ）ＲＷアンテナ←→（ハ）ＩＣカード用通信モジュール←→（ニ）ＩＣカード用セキュリティーモジュール←→（ホ）ＲＷ制御用ＣＰＵ←→（ヘ）ホストコンピュータというＩＣカードＲＷ装置の基本接続構成（Ｂ）において、（ハ）ＩＣカード用通信モジュールと（ニ）ＩＣカード用セキュリティーモジュールの間を無線で通信する例である。ここにおける電波は、通信データが重畳された第１の搬送周波数の搬送波（１３．５６ＭＨｚ）を第２の搬送周波数（３１０ＭＨｚなど）で変調したものである。
【００２３】
図２（ａ）は、前記基本接続構成（Ｂ）において、（イ）ＩＣカード←→（ロ）ＲＷアンテナ←→（ハ）ＩＣカード用通信モジュールまでの接続グループを示している。ホストコンピュータ１１のアプリケーションプログラムから出力されたコマンドは通信路１０からＲＷ制御用マイクロコンピュータ５に送られ、ＩＣカード用セキュリティー通信モジュール４から第１の搬送波１３．５６ＭＨｚに重畳されて基地局ＲＦ回路９ａから基地局アンテナ８ａを通じて電波が発信される。
【００２４】
図２（ｂ）は、前記基本接続構成（Ｂ）において、（ニ）ＩＣカード用セキュリティーモジュール←→（ホ）ＲＷ制御用ＣＰＵ←→（ヘ）ホストコンピュータまでの接続を示している。前記電波は中継局アンテナ７ａで受信され、中継局受信ＲＦ回路１５からＲＷ受信アンプ１４で増幅され、カード通信用ＲＦ回路３の出力がカード通信用アンテナ２から第１搬送周波数を持つ搬送波１３．５６ＭＨｚとして送信される。ＩＣカード１は、前記第１の搬送波１３．５６ＭＨｚを受信すると、負荷変調を使って応答し、この応答はカード通信用アンテナ２経由でカード通信用ＲＦ回路３によって受信される。
【００２５】
カード通信用ＲＦ回路３で検知された電波の負荷変調は、包絡線抽出フィルタ１６で包絡線が抽出され、ＲＷ送信アンプ１２で増幅されてから中継局送信ＲＦ回路１３を介してアンテナ７から発信される。この時に使われる電波の周波数は、例えば周波数ホッピング技術を使い、先にアンテナ７で受信した周波数とは異なる周波数を使うことにより混信を避ける工夫をする。
【００２６】
アンテナ７から発射された電波は、図２（ａ）のアンテナ８で受信され、基地局ＲＦ回路９にて増幅され、包絡線抽出フィルタ１６で必要な周波数だけを抽出した後、インピーダンス変換アンプ１７を使ってＩＣカード用セキュリティー通信モジュール４の出力ラインに対して負荷変調をかける。これにより、ＩＣカード用セキュリティー通信モジュール４は、ＩＣカード用セキュリティー通信モジュール４に接続されたアンテナ出力がＩＣカードの応答により負荷変調を受けたか場合と同様な認識をすることになる。
【００２７】
なお、実施例２では、（ハ）ＩＣカード用通信モジュールと（ニ）ＩＣカード用セキュリティーモジュールは別のユニットであり、（ニ）ＩＣカード用セキュリティーモジュールの例としてはＬＥＩＣ（登録商標）社のセキュリティーモジュールＳＭ０５、ＳＭ１００、ＳＭ３００が該当する。これとは別に、同社のＳＣ−２１４０／Ｃ、ＳＣ−２２４０／Ｃ、ＳＣ−２５６０／Ｃ、ＳＣ−２５７０／Ｃなどのチップセットも本実施例においては（ニ）ＩＣカード用セキュリティーモジュールに属し、２つのチップを常に１対のチップセットとして使うことを想定している。また、ここにおいて（ハ）ＩＣカード用通信モジュールは、単に第１の搬送周波数を使った変調回路としての機能をもつデバイスで、例えばTexas Instruments（登録商標）社のＲＩ−ＲＦＭ−００３ＢやＲＩ−ＲＦＭ−００７Ｂのような製品が該当する。
【実施例３】
【００２８】
本発明における実施例３は、（イ）ＩＣカード←→（ロ）ＲＷアンテナ←→（ハ）ＩＣカード用通信モジュール←→（ニ）ＩＣカード用セキュリティーモジュール←→（ホ）ＲＷ制御用ＣＰＵ←→（ヘ）ホストコンピュータというＩＣカードＲＷ装置の基本接続構成（Ｂ）において、（ハ）ＩＣカード用通信モジュールと（ニ）ＩＣカード用セキュリティーモジュールの間を無線で通信する例である。ここにおける電波は、第１の搬送周波数（例えば１３．５６ＭＨｚ）の搬送波の中から抽出した重畳データだけを第２の搬送周波数（３１０ＭＨｚ）で送信する方法である。
【００２９】
図３（ａ）と図３（ｂ）には包絡線検出回路２２があり、これらは入力信号中の搬送波を除去した包絡線のみを検出する回路で、ローパスフィルタなどで構成される回路である。図３（ａ）においては、デフォルトでは基地局送信アンプ２６が、選択されており、包絡線検出回路２２で包絡線が検出されると基地局送信アンプ２７が選択されてデフォルト状態から遷移する。
【００３０】
また、図３（ｂ）においては、中継局デュープレクサ１８に包絡線検出回路２２の出力が使われており、デフォルトでは中継局受信アンプ１９が選択されていて、包絡線を検出した場合にはデフォルトのままで、中継局受信アンプ１９を選択し、包絡線が検出されない場合は、中継局送信アンプ２４を選択するアルゴリズムになっている。
【００３１】
図３（ａ）において、ホストコンピュータ１１のアプリケーションプログラムから出力されたコマンドは通信路１０からＲＷ制御用マイクロコンピュータ５に送られ、ＩＣカード用セキュリティー通信モジュール４からは第１の搬送波１３．５６ＭＨｚに重畳された信号が出力される。前記重畳された信号は、基地局包絡線抽出回路２８で適正レベルへの補正と搬送波除去の処理が施された後、基地局送信アンプ２７で第２の搬送周波数に載せられてから基地局デュープレクサ２５を経由してアンテナ８を通じて電波として発射される。
【００３２】
図３（ｂ）において、前記電波は中継局アンテナ７で受信され、中継局デュープレクサ１８を経由して受信アンプ１９で適切なレベルに増幅され、ミキサ２０にて第１搬送周波数の搬送波１３．５６ＭＨｚを変調し、カード通信用ＲＦ回路３の出力がカード通信用アンテナ２から第１搬送周波数を持つ搬送波１３．５６ＭＨｚとして送信される。ＩＣカード１は、前記第１の搬送波１３．５６ＭＨｚを受信すると、負荷変調を使って応答し、この応答はカード通信用アンテナ２経由でカード通信用ＲＦ回路３によって受信される。
【００３３】
ＩＣカード１が応答する期間においては、ホストコンピュータ１１は自らのデータ発信を止めて応答を待っているので図３（ｂ）の包絡線検出回路２２は包絡線を検出できず、中継局デュープレクサ１８においては中継局送信アンプ２４が選択される。そして、包絡線抽出回路２３で抽出された包絡線信号は中継局送信アンプ２４から中継局デュープレクサ１８を介して中継局アンテナ７から電波として出力される。
【００３４】
アンテナ７から発射された電波は、図３（ａ）のアンテナ８で受信され、基地局ＲＦ回路２６にて増幅され、包絡線抽出フィルタ１６で必要な周波数だけを抽出した後、インピーダンス変換アンプ１７を使ってＩＣカード用セキュリティー通信モジュール４の出力ラインに対して負荷変調をかける。これにより、ＩＣカード用セキュリティー通信モジュール４は、ＩＣカード用セキュリティー通信モジュール４に接続されたアンテナ出力がＩＣカードの応答により負荷変調を受けたか場合と同様にＩＣカード応答として認識されることになる。
【００３５】
通常、負荷変調で応答が帰って来る場合には、応答信号は比較的なだらかな包絡線を持つが、本発明の場合には、応答信号の包絡線のみを伝送しているので、ＩＣカード用セキュリティー通信モジュール３の誤動作を防ぐ意味から、応答信号に対して第１の搬送周波数（実施例では１３．５６ＭＨｚ）を分周した１０６ｋＨｚで位相制御をかけることも考えられる。
【００３６】
なお、実施例３では、（ハ）ＩＣカード用通信モジュールと（ニ）ＩＣカード用セキュリティーモジュールは別のユニットであり、（ニ）ＩＣカード用セキュリティーモジュールの例としてはＬＥＩＣ（登録商標）社のセキュリティーモジュールＳＭ０５、ＳＭ１００、ＳＭ３００が該当する。これとは別に、同社のＳＣ−２１４０／Ｃ、ＳＣ−２２４０／Ｃ、ＳＣ−２５６０／Ｃ、ＳＣ−２５７０／Ｃなどのチップセットも本実施例においては（ニ）ＩＣカード用セキュリティーモジュールに属するが、使い方としてはバラバラに使うのではなく、常に１対のチップセットとして使うことを想定している。また、ここにおいて（ハ）ＩＣカード用通信モジュールは、単に第１の搬送周波数を使った変調回路としての機能をもつデバイスで、例えばTexas Instruments（登録商標）社のＲＩ−ＲＦＭ−００３ＢやＲＩ−ＲＦＭ−００７Ｂのような製品が該当する。
【００３７】
上記の実施例１〜３において、前記中継ユニットと基地ユニットの間に、マルチホップ接続用通信プロトコルを実装したＲＦトランシーバＩＣ、例えばIntegration Assocites Inc.（登録商標）のＩＡ４４２０ Universal ISM Band FSK Transceiver、で構成するリピータを使うことにより、標準的な用途で２０ｍ程度の通信距離であるシステムであれば、２０ｍ置きに前記リピータを配置することにより、例えば６台のリピータを使うことにより１００ｍ離れた場所の基地ユニットにデータ通信することが出来るようになる。おきに例えばマルチホップ接続用通信プロトコルを実装することにより、ＲＦトランシーバＩＣをリピータとして使うことが可能となり、送受信距離を延長できる。
【産業上の利用可能性】
【００３８】
従来、近接型として数ｃｍしか通信距離が取れなかった１３．５６ＭＨｚを使ったＩＣカードにおいて、日本国の電波法を遵守しながら微弱出力でも２０ｍ前後の通信距離が取れる３１０ＭＨｚなどの通信技術と組み合わせることにより高価な機器を使うことなく安価な無線システムが提供できるので、部屋構造や配線レイアウトの問題などの理由で従来は設置が難しかった場所でも設置が可能となり、入退室システムのセキュリティーを改善できるようになる。
【図面の簡単な説明】
【００３９】
【図１】本発明の実施例１は、（イ）ＩＣカード←→（ロ）ＲＷアンテナ←→（ハ）ＩＣカード用通信セキュリティーモジュール←→（ニ）ＲＷ制御用ＣＰＵ←→（ホ）ホストコンピュータというＩＣカードＲＷ装置の基本接続構成（Ａ）において、      （ａ）は、（ニ）ＲＷ制御用ＣＰＵ←→（ホ）ホストコンピュータの接続グループを示す図であり、      （ｂ）は、（イ）ＩＣカード←→（ロ）ＲＷアンテナ←→（ハ）ＩＣカード用セキュリティー通信モジュール←→（ニ）ＲＷ制御用ＣＰＵまでの接続グループを示す図である、
【図２】本発明の実施例２で、（イ）ＩＣカード←→（ロ）ＲＷアンテナ←→（ハ）ＩＣカード用通信モジュール←→（ニ）ＩＣカード用セキュリティーモジュール←→（ホ）ＲＷ制御用ＣＰＵ←→（ヘ）ホストコンピュータというＩＣカードＲＷ装置の基本接続構成（Ｂ）において、（ａ）と（ｂ）の間は第１搬送周波数の搬送波を重畳した第２搬送周波数の電波で通信し、      （ａ）は、（イ）ＩＣカード←→（ロ）ＲＷアンテナ←→（ハ）ＩＣカード用通信モジュールまでの接続グループを示す図で、      （ｂ）は、（ニ）ＩＣカード用セキュリティーモジュール←→（ホ）ＲＷ制御用ＣＰＵ←→（ヘ）ホストコンピュータまでの接続グループを示す図である。
【図３】本発明の実施例３で、（ａ）と（ｂ）の間は第１搬送周波数の搬送波を重畳しない第２搬送周波数の電波で通信し、      （ａ）は、（イ）ＩＣカード←→（ロ）ＲＷアンテナ←→（ハ）ＩＣカード用通信モジュールまでの接続グループを示す図で、      （ｂ）は、（ニ）ＩＣカード用セキュリティーモジュール←→（ホ）ＲＷ制御用ＣＰＵ←→（ヘ）ホストコンピュータまでの接続グループを示す図である。
【符号の説明】
【００４０】
１…ＩＣカード、  ２…カード通信用アンテナ、  ３…カード通信用ＲＦ回路、  ４…ＩＣカード用セキュリティー通信モジュール、  ５…ＲＷ制御用マイクロコンピュータ、  ６…中継局ＲＦ回路、  ７…中継局アンテナ、  ８…基地局アンテナ、  ９…基地局ＲＦ回路、  ９ａ…基地局ＲＦ回路、  １０…通信回線、  １１…ホストコンピュータ、  １２…ＲＷ送信アンプ、  １３…中継局送信ＲＦ回路、  １４…ＲＷ受信アンプ、  １５…中継局受信ＲＦ回路、  １６…包絡線抽出フィルタ、  １７…インピーダンス変換アンプ、  １８…中継局デュープレクサ、１９…中継局受信アンプ、２０…ミキサ、２１…１３．５６ＭＨｚ発信回路、２２…包絡線検出回路、２３…包絡線抽出回路、２４…中継局送信アンプ、２５…基地局デュープレクサ、２６…基地局送信アンプ、２７…基地局受信アンプ、２８…基地局包絡線抽出回路。
【図１】
2007241488.tif 000003
【図２】
2007241488.tif 000004
【図３】
2007241488.tif 000005
【手続補正書】
【提出日】平成19年6月8日(2007.6.8)
【手続補正１】
【補正対象書類名】特許請求の範囲
【補正対象項目名】請求項１
【補正方法】変更
【補正の内容】
【請求項１】
該無線通信装置と無線通信で接続され、１３．５６ＭＨｚの微弱電波搬送波周波数を使ってＩＣカードと通信可能なアンテナを備える第２の無線通信装置と、ホストコンピュータに接続され第１と第２の搬送波周波数を使ってＩＣカード用セキュリティー通信モジュールを持つ第１の無線通信装置と、からなる非接触ＩＣカードの無線リーダ／ライタ装置において、
前記第２の通信装置は前記第１の搬送周波数に重畳された搬送波包絡線をデータとして送信し、第２の搬送波で受信したデータを使って前記微弱電波の搬送波に負荷変調をかけることを特徴とする非接触ＩＣカードの無線リーダ／ライタ装置。
【手続補正２】
【補正対象書類名】明細書
【補正対象項目名】０００５
【補正方法】変更
【補正の内容】
【０００５】
解決しようとする問題点は、１３．５６ＭＨｚを使う近接型ＩＣカードリーダ／ライタ装置とホストコンピュータを無線で接続する安価な非接触ＩＣカードの無線リーダ／ライタ装置を提供することであり、特許文献１の構成ではＩＣカードのリピータとして使おうとすると、ＩＣカードで使われている１３．５６ＭＨｚの現在の日本の電波法を遵守する電力範囲ではリピータとして機能しない構成となっている。
【手続補正３】
【補正対象書類名】明細書
【補正対象項目名】０００６
【補正方法】変更
【補正の内容】
【０００６】
本発明は、安価に非接触ＩＣカードのリピータ機能を持つ無線リーダ／ライタ装置（以下ＲＷ装置と記載）を提供するために、
該無線通信装置と無線通信で接続され、微弱電波の搬送波周波数を使ってＩＣカードと通信可能なアンテナを備える第２の無線通信装置と、ホストコンピュータに接続され第１と第２の搬送波周波数を使ってＩＣカード用セキュリティー通信モジュールを持つ第１の無線通信装置と、からなる非接触ＩＣカードの無線リーダ／ライタ装置において、前記第２の通信装置は前記第１の搬送周波数に重畳された搬送波包絡線をデータとして送信し、第２の搬送波で受信したデータを使って前記微弱電波の搬送波に負荷変調をかけるようにした。
【手続補正４】
【補正対象書類名】明細書
【補正対象項目名】０００７
【補正方法】削除
【補正の内容】
【手続補正５】
【補正対象書類名】明細書
【補正対象項目名】０００８
【補正方法】削除
【補正の内容】
【手続補正６】
【補正対象書類名】明細書
【補正対象項目名】００２０
【補正方法】変更
【補正の内容】
【００２０】
なお、実施例１では、（ハ）ＩＣカード用通信モジュールと（ニ）ＩＣカード用セキュリティーモジュールは別のユニットとしたが、この例としてはＬＥＧＩＣ（登録商標）社のＳＣ−２１４０／Ｃ、ＳＣ−２２４０／Ｃ、ＳＣ−２５６０／Ｃ、ＳＣ−２５７０／Ｃなどのチップセットが該当する。これとは別に、同社のセキュリティーモジュールＳＭ０５、ＳＭ１００、ＳＭ３００は（ハ）ＩＣカード用通信モジュールと（ニ）ＩＣカード用セキュリティーモジュールが一体化したモジュールもあるが、このような一体型であっても機能的には同等であるので、（ハ）ＩＣカード用通信モジュールと（ニ）ＩＣカード用セキュリティーモジュールを合わせた機能のモジュールとして使える。